(57)【要約】  本発明は、手乾燥装置（１１）下で水を捕集しながら、同時に周辺領域を消臭する装置に関する。該装置は、独立型捕集トレイ（１０）；及び手乾燥装置（１１）の使用中に、手乾燥装置（１１）からの強制空気が消臭スクリーン（１８）と接触して、該消臭スクリーン（１８）に芳香を放出させ、周辺領域を消臭させるように、捕集トレイ（１０）内に配設される消臭スクリーン（１８）を含んでもよい。捕集トレイ（１０）は、スポンジ（２４）を収容するように寸法取りされた凹状スポンジ区画室（２６）を含む上トレイ（１２）；凹状スポンジ区画室（２６）内に配設されるスポンジ（２４）；上トレイ（１２）に取着されるベーストレイ（１４）；及びベーストレイ（１４）から上方に延在する背壁（１６）を含んでもよい。  【選択図】図３
2020500574.tif 000002
【特許請求の範囲】
【請求項１】
手乾燥装置（１１）下で水を捕集しながら、同時に周辺領域を消臭する装置であって、該装置は：
独立型捕集トレイ（１０）；及び
前記手乾燥装置（１１）の使用中に、前記手乾燥装置（１１）からの強制空気が消臭スクリーン（１８）と接触して、該消臭スクリーン（１８）に芳香を放出させ、周辺領域を消臭させるように、前記捕集トレイ（１０）内に配設される消臭スクリーン（１８）
を含む装置。
【請求項２】
前記捕集トレイ（１０）は：
スポンジ（２４）を収容するように寸法取りされた凹状スポンジ区画室（２６）を含む上トレイ（１２）；
前記凹状スポンジ区画室（２６）内に配設される前記スポンジ（２４）；
前記上トレイ（１２）に取着されるベーストレイ（１４）；及び
前記ベーストレイ（１４）から上方に延在する背壁（１６）
を含むことを特徴とする、請求項１に記載の装置。
【請求項３】
前記消臭スクリーン（１８）は：
流通口（２５）を有する平坦部であって、前記スポンジ（２４）に隣接して配設される平坦部；及び
前記平坦部から上方に延在する傾斜部であって、前記背壁（１６）に隣接して配設される傾斜部
を含むことを特徴とする、請求項１又は請求項２に記載の装置。
【請求項４】
前記背壁（１６）は、前記消臭スクリーン（１８）の前記傾斜部を収容するように寸法取りされたスクリーン凹部（２８）を含み、前記消臭スクリーン（１８）の前記傾斜部は、前記スクリーン凹部（２８）内に配設されることを特徴とする、請求項２又は請求項３に記載の装置。
【請求項５】
前記背壁（１６）は、前記上トレイ（１２）及び前記ベーストレイ（１４）から約９０度の角度で上方に延在し、前記ベーストレイ（１４）に対面する前記背壁（１６）の面は、傾斜しており、従って、前記背壁（１６）は、前記ベーストレイ（１４）に近接する広幅から、前記ベーストレイ（１４）から遠位の狭幅へと先細になることを特徴とする、請求項２から請求項４のいずれか一項に記載の装置。
【請求項６】
前記ベーストレイ（１４）に対面する前記背壁（１６）の前記面は、凹状に湾曲されることを特徴とする、請求項２から請求項５のいずれか一項に記載の装置。
【請求項７】
前記装置は、前記捕集トレイ（１０）に取着される取付金具（２２）を更に含み、前記取付金具（２２）は、前記捕集トレイ（１０）を壁に取付けるように設計されることを特徴とする、請求項１から請求項６のいずれか一項に記載の装置。
【請求項８】
前記消臭スクリーン（１８）は、取替用消臭スクリーン（１８）と交換できるように、前記捕集トレイ（１０）内に着脱可能に固定又は設置されることを特徴とする、請求項１から請求項７のいずれか一項に記載の装置。
【請求項９】
使用者の手を乾燥し、同時に周辺領域を消臭する装置であって、該装置は：
手乾燥装置（１１）；
前記手乾燥装置（１１）の下に垂直に取付けられる捕集トレイ（１０）であって、該捕集トレイ（１０）は：
スポンジ（２４）を収容するように寸法取りされた凹状スポンジ区画室（２６）を含む上トレイ（１２）；
前記凹状スポンジ区画室（２６）内に配設される前記スポンジ（２４）；
前記上トレイ（１２）に取着されるベーストレイ（１４）；  及び
前記ベーストレイ（１４）から上方に延在する背壁（１６）
を含む捕集トレイ（１０）；及び
空気が前記手乾燥装置（１１）から圧送されると、前記空気が、消臭スクリーン（１８）と接触して、該消臭スクリーン（１８）に芳香を前記周辺領域に放散させるように、前記捕集トレイ（１０）内に配設される消臭スクリーン（１８）
を含む装置。
【請求項１０】
前記消臭スクリーン（１８）は、前記スポンジ（２４）と前記手乾燥装置（１１）との間に配設され、前記消臭スクリーン（１８）は、前記手乾燥装置（１１）からの前記空気と前記使用者の手からの水の両方が、前記消臭スクリーン（１８）を流通できるように、前記消臭スクリーンを通り延在する複数の流通口（２５）を含むことを特徴とする、請求項９に記載の装置。
【請求項１１】
前記消臭スクリーン（１８）は、取替用消臭スクリーン（１８）と交換できるように、前記捕集トレイ（１０）内に着脱可能に固定又は設置されることを特徴とする、請求項９又は請求項１０に記載の装置。
【発明の詳細な説明】
【技術分野】
【０００１】
本発明は、概して、手乾燥装置、特に、手乾燥装置用消臭捕集トレイに関する。
【背景技術】
【０００２】
公衆トイレにある手乾燥装置等の、手乾燥装置を使用すると、水が手乾燥装置下の壁に垂れ落ちて、床が濡れ、汚れてしまう。この問題は、不衛生であるだけではなく、床と壁を損傷することにもなり、更なる清掃や施設をメンテナンスする費用が発生する。加えて、全ての公衆トイレが、悪臭に悩まされており、空気の移動が不足するために、スプレー又は消臭剤でマスキングすることが困難な場合がある。
【０００３】
従来の手乾燥装置の中には、内蔵の捕集トレイを含むものがある。しかしながら、内蔵トレイを持たない全ての手乾燥装置と共に使用するように適合できる独立型捕集システムは存在しない。また、既存の手乾燥装置には、内蔵消臭装置がない。むしろ、トイレは、手動又は自動のスプレーによって消臭されることが多い。
【０００４】
そのため、あらゆる既存の手乾燥装置と使用されるように構成された捕集トレイと消臭装置との結合体が必要である。
【発明の概要】
【発明が解決しようとする課題】
【０００５】
本発明の目的は、前述の欠点を回避することである。
【課題を解決するための手段】
【０００６】
本発明による解決方法は、手乾燥装置下で水を捕集しながら、同時に周辺領域を消臭する装置であって、該装置は：
独立型捕集トレイ；及び
手乾燥装置の使用中に、手乾燥装置からの強制空気が消臭スクリーンと接触して、該消臭スクリーンに芳香を放出させ、周辺領域を消臭させるように、捕集トレイ内に配設される消臭スクリーンを含む装置を特徴とする。
【０００７】
本開示の幾つかの実施形態は、手乾燥装置下で水を捕集しながら、同時に周辺領域を消臭する装置を含む。本装置は、独立型捕集トレイ；及び手乾燥装置の使用中に、手乾燥装置からの強制空気が消臭スクリーンと接触して、該消臭スクリーンに芳香を放出させ、周辺領域を消臭させるように、捕集トレイ内に配設される消臭スクリーンを含んでもよい。捕集トレイは、スポンジを収容するように寸法取りされた凹状スポンジ区画室を含む上トレイ；凹状スポンジ区画室内に配設されるスポンジ；上トレイに取着されるベーストレイ；及びベーストレイから上方に延在する背壁を含んでもよい。           
【０００８】
以下では、本発明の幾つかの実施形態に関する詳細な説明が、添付図を参照して行われるが、同じ参照番号は、各図面の対応する部品を表す。
【図面の簡単な説明】
【０００９】
【図１】使用中について示された、本開示の一実施形態の側面図である。
【図２】本開示の一実施形態の斜視図である。
【図３】本開示の一実施形態の分解斜視図である。
【図４】本開示の一実施形態の側面図である。
【図５】図４の線５−５に沿った、本開示の一実施形態の詳細断面図である。
【発明を実施するための形態】
【００１０】
以下の本発明の詳細な説明では、本発明に関する多くの細部、実施例及び実施形態が、記述される。しかしながら、本発明は、記載された実施形態に限定されず、本発明は、幾つかの用途のいずれかに適合できることは、当業者には、明白であろう。
【００１１】
本開示の装置は、手乾燥装置下で滴を捕集しながら、同時に周辺領域を消臭するのに使用されてもよく、以下の要素を含んでもよい。可能構成要素のこの一覧は、例示のみを意図しており、この一覧が本願の装置をこれらの要素だけに限定するのに使用されることを意図するものではない。本開示に関連する技術分野における通常の技術を有する者は、本装置の基本的な機能又は動作を変更せずに、本開示の範囲内で置換され得る同等な要素が存在することを、理解するかも知れない。
【００１２】
本開示の装置の様々な要素は、以下の例示的な方法で関係付けられてもよい。様々な要素間の関係の範囲又は性質を限定することを意図しておらず、以下の実施例は、説明に役立つ実施例としてのみ提示される。
【００１３】
一例として、図１〜図５を参照すると、本開示の幾つかの実施形態は、手乾燥装置１１の下で水を捕集しながら、同時に周辺領域を消臭する装置を含み、該装置は、消臭スクリーン１８を有する捕集トレイ１０を含み、手乾燥装置１１からの空気が消臭スクリーン１８に衝突すると、芳香が放出され、周辺領域を消臭する。実施形態では、捕集トレイ１０は、上トレイ１２に、着脱可能に取着される等、取着されるベーストレイ１４；及びベーストレイ１４から上方に延在する背壁１６を含んでもよく、上トレイ１２は、スポンジ２４を収容するように寸法取りされた凹状スポンジ区画室２６を含む。消臭スクリーン１８は、該消臭スクリーン１８が取替用消臭スクリーン１８と交換できるように、捕集トレイ１０内に着脱可能に固定又は設置されてもよい。例えば、消臭スクリーン１８は、流通口２５を有する平坦部及び該平坦部から上方に延在する傾斜部を含んでもよく、傾斜部は、背壁１６にあるスクリーン凹部２８内に配設されてもよく、平坦部は、図４及び図５に示されるように、スポンジ２４に対向して配設されてもよい。しかしながら、他の実施形態では、消臭スクリーン１８は、如何なる形状を有してもよく、捕集トレイ１０上の如何なる場所に配設されてもよい。捕集トレイ１０は、壁等の垂直面に捕集トレイ１０を取付けるために、取付金具（ｂｒａｃｋｅｔ）２２を更に含んでもよい。
【００１４】
図示されたように、ベーストレイ１４と上トレイ１２は、ベーストレイ１４が上トレイ１２の底面に取着されるように、略同じ設置面積を有してもよい。実施形態では、取付金具２２は、図３に示されたように、Ｌ字型の底部が挟持され、Ｌ字型の垂直部が、背壁１６の背面に対向して配設されるようにして、ベーストレイ１４と上トレイ１２との間に挟持されてもよい。
【００１５】
上記の通り、背壁１６は、上トレイ１２及びベーストレイ１４から、約９０度の角度等で、上方に延在してもよい。ベーストレイ１４に対面する背壁１６の面は、傾斜されてもよく、任意には、凹状に湾曲されてもよい。従って、背壁１６は、ベーストレイ１４に近接する広幅から、ベーストレイ１４から遠位の狭幅へと先細にしてもよい。いくつかの実施形態では、背壁１６は、従って、略樋状にしてもよい。背壁１６のこうした形状は、使用者の手から来る水滴が上トレイ１２内に、特にスポンジ２４内に流下するのを助けるかも知れない。背壁１６は、任意には、該背壁１６に取着されるロゴプレート２０を更に含んでもよく、ロゴプレート２０は、例えば、マーケティング目的に使用できる。
【００１６】
上述されたように、消臭スクリーン１８は、背壁１６及び上トレイ１２と等、捕集トレイ１０と着脱可能に係合してもよい。実施形態では、スポンジ２４に隣接して配設されるよう設計された消臭スクリーンの部分等、消臭スクリーン１８の少なくとも一部分は、複数の流通口２５を含んでもよい。流通口２５は、複数の目的に役立つかも知れない。例えば、流通口２５は、（１）水が流通口２５を通りスポンジ２４に流入可能にして、水が捕集トレイ１０から漏出するのを防止する、又は減少させること、及び（２）空気が流通口２５を通り流通可能にして、芳香を放出させることの両方を可能にするかも知れない。図示されたように、消臭スクリーン１８は、背壁１６及びスポンジ２４と背向する面を横断して延在する突条等の、装飾性を含んでもよい。
【００１７】
本開示の捕集トレイ１０は、手乾燥装置１１の下に配設されるように、且つ使用者が自分の手を手乾燥装置１１で乾燥中に、使用者の手から垂れる水を効果的に捕集するように寸法取りされてもよく、その結果、水が、手乾燥装置１１周辺の領域の床や壁に漏出したり、滴下したりするのを軽減する。図１に示されたように、捕集トレイ１０は、手乾燥装置１１に物理的に取着されていなくてもよく、従って、現在存在する任意の数の手乾燥装置１１と共に使用されてもよい。或いは、捕集トレイ１０は、手乾燥装置が、消臭スクリーン（図示せず）付き内蔵捕集トレイを有するように、手乾燥装置に組み込まれてもよい。
【００１８】
本開示の捕集トレイ１０は、任意の適当な材料から作製されてもよい。幾つかの実施形態では、ベーストレイ１４、上トレイ１２及び背壁１６は、プラスチック射出成形を使用して作製されてもよい。従って、捕集トレイ１０は、硬質プラスチック材料を含んでもよい。取付金具２２は、亜鉛めっき金属等の、任意の適当な剛性材料を含んでもよく、従って、捕集トレイ１０に強度や剛性を与えながら、捕集トレイ１０を壁に取付け可能にしてもよい。スポンジ２４は、任意の従来のスポンジ材料を含んでもよく、取替えのために容易に取外されてもよい。消臭スクリーン１８は、手乾燥装置１１からの空気と衝突すると、周辺領域に芳香を放散し得る任意の消臭材料から作製されてもよい。空気と衝突していないときでも、消臭スクリーン１８が、少量の芳香を絶えず放散し得るようにしながら、手乾燥装置１１が使用中には、手乾燥装置１１からの空気の力によって、消臭効果を、より強力で効果的にしてもよい。消臭スクリーン１８は、消臭スクリーン１８が効力を失った場合や、失ったときに、新たな消臭スクリーン１８と容易に取替えられてもよいように、取替え可能な挿入体の形としてもよい。
【００１９】
使用するために、本開示の捕集トレイ１０は、壁に垂直に手乾燥装置１１の下で単に取付けられてもよい。使用者が手乾燥装置１１を使用して自分の手を乾燥する際に、手乾燥装置１１からの強制空気が、消臭スクリーン１８に衝突して、芳香を放散させる一方で、それと同時に捕集トレイ１０は、使用者の手からの水滴を捕集してもよい。
【００２０】
当該技術分野における通常の技術を有する者は、多数の設計構成が、本発明のシステムの機能的な利益を享受できる可能性があることを認識するかも知れない。従って、本発明の実施形態の多種多様な構成及び配置があるとすると、本発明の範囲は、上記の実施形態によって狭まるのではなく、以下の特許請求の広さを反映する。
【符号の説明】
【００２１】
１０  捕集トレイ
１１  手乾燥装置
１２  上トレイ
１４  ベーストレイ
１６  背壁
１８  消臭スクリーン
２０  ロゴプレート
２２  取付金具
２４  スポンジ
２５  流通口
２６  スポンジ区画室
２８  スクリーン凹部
【図１】
2020500574.tif 000003
【図２】
2020500574.tif 000004
【図３】
2020500574.tif 000005
【図４】
2020500574.tif 000006
【図５】
2020500574.tif 000007
【国際調査報告】
2020500574.tif 000008
2020500574.tif 000009
2020500574.tif 000010
2020500574.tif 000011